(57)【要約】      （修正有）【課題】収納された図書の位置を迅速に把握することができるハンドル式移動棚を提供する。【解決手段】取出し指示票２７またはスマートフォン２８で保存されたマトリックス型二次元コード２５を、リーダー２９にかざして読み取り、タッチパネル式ディスプレイ装置３０に表示された登録情報が所望の図書であることを確認して、タッチパネルスイッチにタッチすると、所望の図書が収納されているハンドル式移動棚の正面側板５、または正面側板５および背面側板と、所望の図書が収納されている棚板が位置する棚連の天板とに設置された棚列電光指示装置３３および棚連電光指示装置の色の異なる複数個のＬＥＤランプのうち、同一色のＬＥＤランプを点灯させる。【選択図】図１
2017159995.tif 000002
【特許請求の範囲】
【請求項１】
図書が収納されている各ハンドル式移動棚の棚板の棚列・棚段管理固有バーコードをバーコードリーダーで読み込むと共に、前記収納保管する図書の図書管理固有バーコードを前記バーコードリーダーで読み込み、且つ前記棚列・棚段管理固有バーコードおよび図書管理固有バーコードを読み込んだ前記バーコードリーダーを有線または無線により棚および図書情報管理パソコンに接続して、該バーコードリーダーに読み込まれた棚列・棚段管理固有番号および図書管理固有番号を前記棚および図書情報管理パソコンに登録した後、該棚および図書情報管理パソコンから前記登録情報を業務用管理サーバに転送して登録し、更に、予めＯＰＡＣ検索システムにより、図書名・著者名および分類番号等の書誌情報と、前記書誌情報を変換して形成したマトリックス型二次元コードとを登録した図書管理システムの登録情報と、前記業務用管理サーバの登録情報とを該業務管理サーバでリンクさせて、該リンクして得られた新たな登録情報を登録して図書管理システムが構築され、図書館利用者が、前記図書管理システムにより所望する図書の書誌情報を入力して検索して、所望する図書の書誌情報を表示した取出し指示票をプリントアウトし、あるいは前記マトリックス型二次元コードをスマートフォンで保存する一方、前記各ハンドル式移動棚の各正面側板、または各正面側板および各背面側板にハンドルを設置すると共に、前記マトリックス型二次元コード読み取り用リーダーと、タッチパネル式ディスプレイ装置を、前記いずれか１つの正面側板、またはいずれか１つの正面側板およびいずれか１つの背面側板に設置して、前記取出し指示票またはスマートフォンで保存されたマトリックス型二次元コードを、前記移動棚に設置されたリーダーにかざして読み取り、その登録情報がタッチパネル式ディスプレイ装置に表示され、利用者が該タッチパネル式ディスプレイ装置に表示された登録情報が所望の図書のものと同一であることを確認して、タッチパネルスイッチにタッチすると、前記所望の図書が収納されている移動棚の正面側板、または正面側板および背面側板と、該所望の図書が収納されている棚板が位置する棚連の天板とに設置された、棚列電光指示装置および棚連電光指示装置を構成するそれぞれ色の異なる複数個のＬＥＤランプのうち、同一色のＬＥＤランプを点灯させることを特徴とする図書館におけるハンドル式移動棚装置。
【発明の詳細な説明】
【技術分野】
【０００１】
本発明は、図書館において、図書を収納するハンドル式移動棚装置に関し、より詳細には、マトリックス型二次元コード（一般には、「ＱＲコード（登録商標）」と呼ばれている）を使用して、タッチパネル式ディスプレイ装置に所望する図書の図書名および著者名等の図書情報を表示する一方、該図書が収納されているハンドル式移動棚および棚連をＬＥＤ電光表示するため、各ハンドル式移動棚の正面側板、または前記正面側板および背面側板、並びに複数の棚連より成る各棚連の天板とに、それぞれ色の異なる複数個のＬＥＤランプが設置され、該ＬＥＤランプの数の分の複数の図書館利用者が同時に利用できるようにすると共に、所望する図書が収納されているハンドル式移動棚の位置を、各利用者ごと同一の色のＬＥＤランプを点灯させて、図書館利用者が前記ＬＥＤランプが点灯しているハンドル式移動棚の袖板のＬＥＤランプを視認することにより、所望する図書が収納されているハンドル式移動棚の位置を迅速に把握して、前記ＬＥＤランプが点灯しているハンドル式移動棚のハンドルを手動で回転させて、所望の図書を取り出すための通路を形成する一方、前記図書が収納されている棚連のＬＥＤランプを頼りに、該図書を迅速に捜し出すことができ、これにより、図書の出納作業が効率よくできる図書館におけるハンドル式移動棚装置に関するものである。
【背景技術】
【０００２】
従来、図書館は膨大な図書を有し、その図書の保管効率を高める目的から、複数のハンドル式または電動式移動棚を利用して図書を保管している。一方、膨大な図書類を管理するため図書館では、図書館における検索システムとして汎用されているＯＰＡＣ検索システムを使用して各図書の情報をデータベース化して、各図書を管理する図書管理システムが構築されると共に、各図書は予め決められた分類方式に従ってデータベース化し、管理、保管されている。そして、図書館利用者がこれらの図書類をハンドル式移動棚より取り出すためには、前記ＯＰＡＣ検索端末により、所望する図書の検索を行い、ハンドル式移動棚に収納されている場所を検索し、収納されているハンドル式移動棚を所定の位置に移動して、所望する図書を取り出し、または収納していた。
【０００３】
一方、マトリックス型二次元コードを使用して図書を検索する図書館におけるハンドル式移動棚装置に関し、過去の特許文献を遡及検索したが、マトリックス型二次元コードを使用して図書を検索するという技術思想のハンドル式移動棚装置は１件も開示されていない。そして、前記マトリックス型二次元コードを使用する図書館における電動式移動棚装置が、下記の特許文献１に開示されている。
【先行技術文献】
【特許文献】
【０００４】
【特許文献１】特開２０１５−１３１７１７号公報
【発明の概要】
【発明が解決しようとする課題】
【０００５】
前記従来の図書館における複数のハンドル式移動棚を利用する図書管理システムでは、図書の保管数量の増加に伴い、保管設備としてのハンドル式移動棚も増加し、このため図書の保管場所が頻繁に変わると共に、前記ハンドル式移動棚を不特定多数の利用者に開放しているので、利用頻度も増加しており、利用者が目的の図書を検索し、保管されている棚より取り出す場合、図書を検索しても保管されている棚を、簡単、且つ迅速に捜し出すことが出来ないケースが増え、その結果、容易に図書を取り出したり、または収納することができなくなるという課題があった。
【０００６】
また、前記特許文献１記載の発明は、図書館において、図書を収納する電動式移動棚装置であって、マトリックス型二次元コードを使用して、タッチパネル式ディスプレイ装置に所望する図書を収納した棚位置をマップ表示する一方、該図書が収納されている移動棚および棚連をＬＥＤ電光表示するため、各移動棚の正面側板および複数の棚連より成る各棚連の天板に、それぞれ色の異なる複数個のＬＥＤランプが設置され、該ＬＥＤランプの数の分の複数の図書館利用者が同時に利用できるようにすると共に、所望する図書が収納されている移動棚および棚連の位置を、各利用者ごと同一の色のＬＥＤランプを点灯させて、利用者が前記点灯している移動棚および棚連のＬＥＤランプを視認することにより、電動式移動棚に収納された図書の位置を迅速に把握することができ、その結果出納作業が効率よくできる図書館における電動式移動棚装置に関するものであり、ディスプレイ装置に所望する図書を収納している収納位置がマップ表示される構成を備えているが、単に所望の図書が収納されている棚位置のみの確認ができれば充分であるハンドル式移動棚装置には不要不急の構成であり、且つそのシステムの構成に経費がかかり、コスト高になるという課題があった。
【０００７】
更に、前記特許文献１記載の発明では、移動棚の正面側袖板のみにＬＥＤランプが設置されているのみで、図書館利用者が背面側から形成された通路に進入することを想定していないので、極めて不便であるという課題があった。
【０００８】
本発明は、前記課題を解決すべくなされたもので、マトリックス型二次元コードを使用して、タッチパネル式ディスプレイ装置に所望する図書の図書情報を表示する一方、該図書が収納されているハンドル式移動棚および棚連をＬＥＤ電光表示するため、各ハンドル式移動棚の正面側板、または前記正面側板および背面側板、並びに複数の棚連より成る各棚連の天板とに、それぞれ色の異なる複数個のＬＥＤランプが設置されると共に、所望する図書が収納されているハンドル式移動棚の位置を、各利用者ごと同一の色のＬＥＤランプを点灯させて、利用者が前記ＬＥＤランプが点灯しているハンドル式移動棚のＬＥＤランプを視認ことにより、ハンドル式移動棚に収納された図書の位置を迅速に把握して、前記ＬＥＤランプが点灯しているハンドル式移動棚のハンドルを手動で回転させて、所望の図書を取り出すための通路を形成することにより、図書の出納作業が効率よくできる図書館におけるハンドル式移動棚装置を提供しようとするものである。
【課題を解決するための手段】
【０００９】
本発明は、図書が収納されている各ハンドル式移動棚の棚板の棚列・棚段管理固有バーコードをバーコードリーダーで読み込むと共に、前記収納保管する図書の図書管理固有バーコードを前記バーコードリーダーで読み込み、且つ前記棚列・棚段管理固有バーコードおよび図書管理固有バーコードを読み込んだ前記バーコードリーダーを有線または無線により棚および図書情報管理パソコンに接続して、該バーコードリーダーに読み込まれた棚列・棚段管理固有番号および図書管理固有番号を前記棚および図書情報管理パソコンに登録した後、該棚および図書情報管理パソコンから前記登録情報を業務用管理サーバに転送して登録し、更に、予めＯＰＡＣ検索システムにより、図書名・著者名および分類番号等の書誌情報と、前記書誌情報を変換して形成したマトリックス型二次元コードとを登録した図書管理システムの登録情報と、前記業務用管理サーバの登録情報とを該業務管理サーバでリンクさせて、該リンクして得られた新たな登録情報を登録して図書管理システムが構築され、図書館利用者が、前記図書管理システムにより所望する図書の書誌情報を入力して検索して、所望する図書の書誌情報を表示した取出し指示票をプリントアウトし、あるいは前記マトリックス型二次元コードをスマートフォンで保存する一方、前記各ハンドル式移動棚の各正面側板、または各正面側板および各背面側板にハンドルを設置すると共に、前記マトリックス型二次元コード読み取り用リーダーと、タッチパネル式ディスプレイ装置を、前記いずれか１つの正面側板、またはいずれか１つの正面側板およびいずれか１つの背面側板に設置して、前記取出し指示票またはスマートフォンで保存されたマトリックス型二次元コードを、前記移動棚に設置されたリーダーにかざして読み取り、その登録情報がタッチパネル式ディスプレイ装置に表示され、利用者が該タッチパネル式ディスプレイ装置に表示された登録情報が所望の図書のものと同一であることを確認して、タッチパネルスイッチにタッチすると、前記所望の図書が収納されている移動棚の正面側板、または正面側板および背面側板と、該所望の図書が収納されている棚板が位置する棚連の天板とに設置された、棚列電光指示装置および棚連電光指示装置を構成するそれぞれ色の異なる複数個のＬＥＤランプのうち、同一色のＬＥＤランプを点灯させるという手段を採用することにより、上記課題を解決した。
【発明の効果】
【００１０】
前記構成より成る本発明によれば、所望の図書が収納されているハンドル式移動棚および棚連をＬＥＤ電光表示するため、各ハンドル式移動棚の正面側板、または前記正面側板および背面側板、並びに複数の棚連より成る各棚連の天板とに、それぞれ色の異なる複数個のＬＥＤランプが設置され、該ＬＥＤランプの数の分の複数の図書館利用者が同時に利用できるようにすると共に、所望する図書が収納されているハンドル式移動棚の位置を、各利用者ごと同一の色のＬＥＤランプを点灯させて、図書館利用者が前記ＬＥＤランプが点灯しているハンドル式移動棚の正面側板、または前記正面側板および背面側板のＬＥＤランプを視認することにより、所望する図書が収納されているハンドル式移動棚の位置を迅速に把握して、前記ＬＥＤランプが点灯しているハンドル式移動棚のハンドルを手動で回転させて、所望の図書を取り出すための通路を形成する一方、前記形成された通路に図書館利用者が進入した後、所望の図書が収納されている棚連の天板に点灯しているＬＥＤランプを頼りに、該図書を迅速に捜し出すことができ、更に、本発明においては図書館利用者はハンドル式移動棚の正面側からのみならず、背面側からも操作することができるので、図書の出納作業が効率よくできるという優れた効果を奏することができるのである。
【図面の簡単な説明】
【００１１】
【図１】本発明図書館におけるハンドル式移動棚装置の概略正面図である。
【図２】本発明図書館におけるハンドル式移動棚装置の使用状態を示す斜視図である。
【図３】本発明図書館におけるハンドル式移動棚装置に使用する図書とバーコードリーダーとの関係を示す斜視図である。
【図４】本発明図書館におけるハンドル式移動棚装置を構成する棚列電光指示装置の拡大正面図である。
【図５】本発明図書館におけるハンドル式移動棚装置を構成する棚列電光指示装置の拡大横断面図である。
【図６】本発明図書館におけるハンドル式移動棚装置を構成する棚連電光指示装置の拡大正面図である。
【図７】本発明図書館におけるハンドル式移動棚装置の概略背面図である。
【実施例】
【００１２】
図１は、本発明ハンドル式移動棚装置Ｔの一例を示す正面図であり、床上に敷設されたレールＲ上に移動棚Ａ・Ｂ・Ｃ・Ｄ・Ｅが前記レールＲ上を走行車輪Ｗを介して左右方向に移動可能に設置されている。図中、Ｋは、移動棚Ａ・Ｅの外側にそれぞれ設置されている壁である。
【００１３】
前記各移動棚Ａ・Ｂ・Ｃ・Ｄ・Ｅ間には、それぞれ相隣る棚間に通路１・２・３・４が形成でき、図１では前記Ｂ・Ｃをそれぞれ左側に移動させて密集すると共に、前記移動棚Ｄを右側に移動させて、通路３部分を最大限に広く開けて出納作業用通路とし、出納作業が円滑に行われるようにしている。
【００１４】
前記各移動棚Ａ・Ｂ・Ｃ・Ｄ・Ｅの各正面側板５には、それぞれ移動棚を走行させるためのハンドルＨが取付けられていて、該ハンドルＨを手動で回転させることにより、それぞれ各移動棚Ａ・Ｂ・Ｃ・Ｄ・Ｅの底部に軸装された走行車輪Ｗを回転させてレールＲ上を走行する。
【００１５】
前記各移動棚Ａ〜Ｅは、それぞれ複数段の棚板１５が、一定間隔で複数の区画板１６によって縦に区画されて、複数の棚連１７を備えている。図２においては、棚板１５が６段、区画板１６が２枚、棚連１７が３連に亘って形成されているが、これに限定されるものではない。
【００１６】
また、前記各移動棚Ａ〜Ｅに収納される各図書１８には、図３に示すように、図書を管理するために付与された固有の登録番号を記録した図書管理固有バーコード１９が取付けられていると共に、前記各移動棚Ａ〜Ｅにおいて、前記各図書１８を収納する各棚板１５には、該各移動棚Ａ〜Ｅの棚列・棚段を管理するための固有の登録番号を記録した棚列・棚段管理固有バーコード２０がそれぞれ取付けられている。なお、図２・３においては、図書管理固有バーコード１９および棚列・棚段管理固有バーコード２０が使用されているが、該バーコード１９・２０に代えて、ＲＦＩＤタグを使用してもよい。
【００１７】
そして、本発明においては、図書１８が収納されている各移動棚Ａ〜Ｅの棚板１５の棚列・棚段管理固有バーコード２０をバーコードリーダー２１で読み取り、その後、前記収納保管する図書１８の図書管理固有バーコード１９を前記バーコードリーダー２１で読み込んで、該図書１８を収納する棚列および棚段を特定しておく必要がある。なお、新しい図書１８を前記各移動棚Ａ〜Ｅのいずれかの棚板１５に収納保管する度毎に前記各読み込み作業を繰返すことになる。
【００１８】
前記棚列・棚段管理固有バーコード２０および図書管理固有バーコード１９の読み込み作業が完了すると、図書館における図書管理者は前記棚列・棚段管理固有バーコード２０および図書管理固有バーコード１９を読み込んだ前記バーコードリーダー２１を有線または無線により棚および図書情報管理パソコン２２に接続して、該バーコードリーダー２１に読み込まれた棚列・棚段管理固有番号および図書管理固有番号を、前記棚および図書情報管理パソコン２２に登録した後、該棚および図書情報管理パソコン２２から前記登録情報を業務用管理サーバ２３に転送して登録し、更に、予めＯＰＡＣ検索システムにより取得した、図書の図書名・著者名および分類番号等の書誌情報と、前記書誌情報を変換して形成したマトリックス型二次元コードとを登録した図書管理システム２４の登録情報と、前記業務用管理サーバ２３の登録情報とを該業務管理サーバ２３でリンクさせて、該リンクして得られた新たな登録情報を、前記図書管理システム２４に登録して、書誌情報および棚列・棚段管理の棚情報の登録作業を完了する。
【００１９】
前記書誌情報および棚情報の登録が完了した後、図書館利用者は、前記図書管理システム２４において、所望する図書に関する所定の図書情報を入力して図書の検索をして、前記図書管理システム２４に棚列・棚段管理固有番号および図書固有管理番号の登録情報を変換して形成されたマトリックス型二次元コード２５と、前記図書管理システム２４に登録された書誌情報とを表示してプリンター２６で取出し指示票２７としてプリントアウトすることができるよう形成されている。なお、前記取り出し指示票２７に表示されたマトリックス型二次元コード２５をスマートフォン２８に取り込んで保存することもできる。
【００２０】
また、図示していないが、図書館において、前記図書管理システム２４に登録された前記書誌情報が広くウェブサイトで公開されている場合は、利用者はスマートフォン２８を使用して、前記図書管理システム２４にアクセスして検索し、選択した図書に関するマトリックス型二次元コード２５を、前記スマートフォン２８に取り込んで保存することができる。
【００２１】
一方、前記各移動棚Ａ〜Ｅのいずれか（本実施例においては、移動棚Ａ）の正面側袖板５には、前記プリントアウトした取出し指示票２７のマトリックス型二次元コード２５、またはスマートフォン２８に表示されたマトリックス型二次元コード２５をかざして、該取出し指示票２７またはスマートフォン２８に表示されたマトリックス型二次元コード２５を読み込むリーダー２９が設置されると共に、前記リーダー２９で読み込まれた前記マトリックス型二次元コード２５に変換された情報を表示するタッチパネル式ディスプレイ装置３０が設置されている。
【００２２】
一方、前記移動棚Ａ〜Ｅの各正面側板５と、各棚板１５の各棚連１７ａ〜１７ｃの各天板３１ａ〜３１ｃとに、所望する図書１８が収納されている移動棚および棚連をＬＥＤ電光表示するための、複数個の色の異なるＬＥＤランプ３２ａ〜３２ｅを備えた棚列電光指示装置３３と、複数個の色の異なるＬＥＤランプ３４ａ〜３４ｅを備えた棚連電光指示装置３５がそれぞれ設置され、前記複数個の色の異なるＬＥＤランプ３２ａ〜３２ｅおよび３４ａ〜３４ｅの数の分だけ、複数の利用者が同時に利用でき、利用者ごとに所定の同一の色のＬＥＤランプを点灯させることにより、所望する図書１８の収納棚および収納棚段を利用者に指示し、確実に所望する図書１８の収納位置を視認することができるよう形成されている。
【００２３】
なお、前記移動棚Ａ〜Ｅの各正面側板５と、各棚板１５の各棚連１７ａ〜１７ｃの各天板３１ａ〜３１ｃとに設置されている棚列電光指示装置３３のＬＥＤランプ３２ａ〜３２ｅおよび棚連電光指示装置３５のＬＥＤランプ３４ａ〜３４ｅは、図４・図６においては、それぞれ５個ずつ設置しているので、本発明装置は５人の利用者まで同時に使用することができるよう形成されている。しかしながら、これに限定されるものではなく、ＬＥＤランプの数を任意に設定することにより、同時使用可能な利用者の数を調整することができる。
【００２４】
前記棚列電光指示装置３３のＬＥＤランプ３２ａ〜３２ｅは、各移動棚Ａ〜Ｅの各正面側板５の上方部の両側端面（棚板が移動棚の一側面側にのみにしかない場合は、棚板のある側端面）に設置されている。前記棚列電光指示装置３３は、特に限定する必要はないが、好ましくは、図に示すような構成とすることが推奨される。すなわち、図４・図５に示すように、棚列電光指示装置３３は、移動棚Ａ〜Ｅの各正面側板５の上方部の両側端面を斜めに切断して、該切断部にＬＥＤランプ固定板３６を前記正面側板５と該正面側板５に連なる折曲板３７に斜めに架け渡して固定し、且つ該ＬＥＤランプ固定板３６に複数の区画板３８を一定間隔を有して固設して、複数個のランプ室３９（図４においては５室設置されている）を設けると共に、該各ランプ室３９に前記色の異なるＬＥＤランプ３２ａ〜３２ｅを設置し、更に、該ＬＥＤランプ３２ａ〜３２ｅの外側に、直角に折曲した半透明プラスチックカバー４０を固定して形成されている。前記のような構成とすることにより、各移動棚Ａ〜Ｅの各ＬＥＤランプの点灯状態が、正面側および開放通路側からも視認することができる。
【００２５】
また、前記棚連電光指示装置３５のＬＥＤランプ３４ａ〜３４ｅは、各棚板１５の各連１７ａ〜１７ｃの各天板３１ａ〜３１ｃにそれぞれ設置されている。前記棚連電光指示装置３５は、特に限定する必要はないが、好ましくは、図６に示すような構成とすることが推奨される。すなわち、図６に示すように、棚連電光指示装置３５は、各棚板１５の各連１７ａ〜１７ｃの各天板３１ａ〜３１ｃの前面側に、ＬＥＤランプ固定板４１を固定し、且つ該ＬＥＤランプ固定板４１に複数の区画板４２を一定間隔を有して固設して、複数個のランプ室４３（図６においては５室設置されている）を設けると共に、該各ランプ室４３に前記色の異なるＬＥＤランプ３４ａ〜３４ｅを設置し、更に、該ＬＥＤランプ３４ａ〜３４ｅの外側に、コ字状の半透明プラスチックカバー４４を固定して形成されている。
【００２６】
なお、前記記載は、正面側から利用者が通路内に進入するものとして説明したが、背面側からも利用者が通路内に進入できる、両方向利用タイプのハンドル式移動棚にも採用できる。利用者が背面側から通路内に進入する場合、図７の本発明ハンドル式移動棚装置の背面図に示すように、前記移動棚ＡおよびＥの背面側板６に、前記正面側板６に設置したものと同一構成の棚列電光表示装置３４およびハンドルＨを装置し、更に背面側板６のいずれかに、前記マトリックス型二次元コード２５を読み込むリーダー２９が設置されると共に、前記リーダー２９で読み込まれた前記マトリックス型二次元コード２５に変換された情報を表示するタッチパネル式ディスプレイ装置３０を設置する。
【００２７】
前記構成よりハンドル式移動棚装置Ｔの作用について説明する。利用者は図書管理システム２４を用いて所望する図書を検索して、選択した図書の図書名および著作者等の図書情報をマトリックス型二次元コード２５として前記図書管理システム２４に表示させ、該マトリックス型二次元コード２５と図書情報をプリンター２６で取出し指示票２７としてプリントアウト、または前記マトリックス型二次元コード２５をスマートフォン２８に取り込んで保存する。
【００２８】
前記マトリックス型二次元コード２５と図書情報をプリンター２６で取出し指示票２７としてプリントアウトし、また前記マトリックス型二次元コード２５をスマートフォン２８に保存した後、利用者は該取出し指示票２７に表示されたマトリックス型二次元コード２５、またはスマートフォン２８に保存されたマトリックス型二次元コード２５をリーダー２９にかざして、該マトリックス型二次元コード２５に記録された図書情報をタッチパネル式ディスプレイ装置３０に表示させ、前記タッチパネル式ディスプレイ装置３０に表示された情報が、利用者の所望する図書の情報と一致するものであれば、前記タッチパネル式ディスプレイ装置３０のタッチパネルスイッチにタッチすると、前記所望の図書１８が収納されている移動棚の正面側板５に設置されている棚列電光表示装置３３のＬＥＤランプ３４ａ〜３４ｅのうちのいずれか１色のランプ、並びに棚板１５の連１７の天板３１ａ〜３１ｃに設置されている棚連電光指示装置３５のＬＥＤランプ３４ａ〜３４ｅのうちいずれか１色の各ＬＥＤランプが点灯し、図書館利用者は所望の図書が収納されている棚列を視認することができ、これにより利用者はその棚列のハンドルＨを回転させて、図書１８の取り出しが可能なように作業用通路が形成され、通路内に進入すると共に、前記棚連の点灯しているＬＥＤランプを頼りに、その下方の棚板に収納されている所望の図書１８を迅速に取り出すことができる。
【００２９】
また、前記取出し指示票２７またはスマートフォン２８に表示されたマトリックス型二次元コード２５を、図書１８の取り出し後も保管しておくことにより、一旦取り出した図書１８を元の棚に収納する場合、または時間をおいて、あるいは異なった日に前記と同一の図書１８を取り出す場合も、取り出し、または収納する度ごとにいちいち図書管理システム２４により所望する図書１８を検索することなく、前記保管しているマトリックス型二次元コード２５を使用することにより、極めて迅速に図書の出納ができるのである。
【００３０】
なお、前記はハンドル式移動棚の正面側から図書館利用者が形成された通路内に進入するタイプものについての説明であったが、図７に示す背面側からも通路内に進入することができるタイプの場合、背面側袖板６にもハンドルＨ、棚列電光指示装置３３、リーダー２９並びにディスプレイ装置３０が設置されているので、前記正面側から進入するタイプと同様の操作をすることにより、図書館利用者は背面側からも通路を形成して進入することができる。
【符号の説明】
【００３１】
Ｔ  ハンドル式移動棚装置
Ａ〜Ｅ  移動棚
Ｗ  走行車輪
Ｒ  レール
Ｈ  ハンドル
Ｋ  壁
１〜４  通路
５    正面側板
６    背面側板
１５  棚板
１６  区画板
１７  棚連
１８  図書
１９  図書管理固有バーコード
２０  棚列・棚段管理固有バーコード
２１  バーコードリーダー
２２  棚および図書情報管理パソコン
２３  業務用管理サーバ
２４  図書管理システム
２５  マトリックス型二次元コード
２６  プリンター
２７  取出し指示票
２８  スマートフォン
２９  リーダー
３０  タッチパネル式ディスプレイ装置
３１  天板
３２  ＬＥＤランプ
３３  棚列電光表示装置
３４  ＬＥＤランプ
３５  棚連電光表示装置
３６  ＬＥＤランプ固定板
３７  折曲板
３８  区画板
３９  ランプ室
４０  半透明プラスチックカバー
４１  ＬＥＤランプ固定板
４２  区画板
４３  ランプ室
４４  半透明プラスチックカバー
【図１】
2017159995.tif 000003
【図２】
2017159995.tif 000004
【図３】
2017159995.tif 000005
【図４】
2017159995.tif 000006
【図５】
2017159995.tif 000007
【図６】
2017159995.tif 000008
【図７】
2017159995.tif 000009